(57)【特許請求の範囲】
【請求項１】
ヘッドと、前記ヘッドの基端側に接続された把持部と、を備えた口腔内マッサージ器であって、
前記把持部は、空気供給源に接続可能であり、内部に前記空気供給源から供給される空気が流通可能な空気流通路を有し、
前記ヘッドは、内方に窪んだ凹部分を含む施術部を有するとともに、前記空気流通路に連通する吐出孔を有し、前記吐出孔は前記凹部分に設けられ前記空気流通路を流通した空気が吐出する吐出口を含んでおり、
前記施術部における前記凹部分の周縁部分を口腔内粘膜に押し当てることで、前記凹部分と前記口腔内粘膜とは前記吐出口から吐出された空気の貯留空間を形成し、
前記ヘッドは、前記貯留空間の圧力変化に応じて振動可能に構成され、
前記把持部は前記空気流通路から分岐する分岐孔を有し、前記分岐孔は前記把持部の外面に設けられた開閉可能な分岐口を含んでいる口腔内マッサージ器。
【請求項２】
前記ヘッドの先端側は、前記凹部分の開口部を上方に向けた状態での平面視で湾曲している請求項１に記載の口腔内マッサージ器。
【請求項３】
前記凹部分は、前記凹部分の開口部を上方に向けた状態での平面視において、前記ヘッドの延設方向に沿う前記施術部の長さを二等分するように前記ヘッドの延設方向に対して垂直な仮想線を引いたときに、前記仮想線よりも前記施術部の先端側にある前記凹部分の占有面積が前記仮想線よりも前記施術部の基端側にある前記凹部分の占有面積よりも大きい請求項１又は２に記載の口腔内マッサージ器。
【請求項４】
前記分岐孔は、前記把持部の外面における開口面積を変更可能に構成されている請求項１から３のいずれか一項に記載の口腔内マッサージ器。
【請求項５】
前記施術部は、前記凹部分が形成された第一面と、前記第一面の裏側に形成された第二面とを有し、
前記第二面が湾曲している請求項１から４のいずれか一項に記載の口腔内マッサージ器。
【発明の詳細な説明】
【技術分野】
【０００１】
本発明は、口腔内マッサージ器に関する。
【背景技術】
【０００２】
近年、美顔を目的としたハンディタイプのマッサージ器が数多く開発されている。マッサージ器としては、顔の肌表面以外に、口腔内粘膜をマッサージするマッサージ器が存在する（例えば、特許文献１）。口腔内粘膜をマッサージすることで、例えば、顔の筋肉が効果的に鍛えられ、ほうれい線を目立たなくなる等の効果を得ることができるといわれている。
【０００３】
特許文献１には、把持部と、把持部に着脱可能なヘッド部とを有し、ヘッド部の当接部が弾性部材で構成された口腔内マッサージ器が開示されている。この口腔内マッサージ器の把持部には超音波発生機構や電気パルス発生機構等が設けられている。上記構成を備えることで、特許文献１に記載の口腔内マッサージ器は、口腔内粘膜をヘッド部の当接部によって手動で押圧したり、ヘッド部の当接部から口腔内粘膜に超音波振動や電気的刺激等を与えたりすることができる。すなわち、こうした口腔内マッサージ器を用いることで、口腔内粘膜をマッサージすることができる。
【先行技術文献】
【特許文献】
【０００４】
【特許文献１】特開２０１７−１０４５０５号公報
【発明の概要】
【発明が解決しようとする課題】
【０００５】
特許文献１に記載の口腔内マッサージ器では、ヘッド部を用いて手動で口腔内粘膜をマッサージする場合、口腔内粘膜に対してヘッド部の押圧力を細かく調整することは困難であり、ヘッド部によるマッサージが単調になりがちである。また、口腔内マッサージ器を手動操作する場合には、使用者（施術者）によってマッサージ効果にバラツキが生じ易い。特許文献１に記載の口腔内マッサージ器は、ヘッド部の当接部から口腔内粘膜に超音波振動や電気的刺激等を与えることもできる。しかし、口腔内粘膜は脆弱な組織であるため、キャビテーション作用を有する超音波振動を受けた口腔内粘膜が損傷するおそれがある。また、口腔内は高湿潤な環境であるため、電極を直接口腔内粘膜に押し当てた場合に、イオンバランスの変化等の環境変化が発生し予期しない電流が流れることがあり、その際に口腔内粘膜に過剰な電気的刺激が付与されるおそれがある。
【０００６】
上記実情に鑑み、口腔内粘膜に対して安全に安定したマッサージを行うことができる口腔内マッサージ器が求められている。
【課題を解決するための手段】
【０００７】
本発明に係る口腔内マッサージ器の特徴構成は、ヘッドと、前記ヘッドの基端側に接続された把持部と、を備えた口腔内マッサージ器であって、前記把持部は、空気供給源に接続可能であり、内部に前記空気供給源から供給される空気が流通可能な空気流通路を有し、前記ヘッドは、内方に窪んだ凹部分を含む施術部を有するとともに、前記空気流通路に連通する吐出孔を有し、前記吐出孔は前記凹部分に設けられ前記空気流通路を流通した空気が吐出する吐出口を含んでおり、前記施術部における前記凹部分の周縁部分を口腔内粘膜に押し当てることで、前記凹部分と前記口腔内粘膜とは前記吐出口から吐出された空気の貯留空間を形成し、前記ヘッドは、前記貯留空間の圧力変化に応じて振動可能に構成され、前記把持部は前記空気流通路から分岐する分岐孔を有し、前記分岐孔は前記把持部の外面に設けられた開閉可能な分岐口を含んでいる点にある。
【０００８】
本構成によれば、口腔内マッサージ器は、施術部において凹部分の周縁部分が口腔内粘膜に当接することで、凹部分と口腔内粘膜は吐出口から吐出された空気の貯留空間を形成する。貯留空間に空気流通路から吐出孔及び吐出口を介して空気が供給され続けることにより、貯留空間の圧力が高まる。このとき、貯留空間内の口腔内粘膜と凹部分の周縁部分が当該圧力を受ける。そのため、施術部のうち凹部分の周縁部分が例えば変形可能に構成されることで、貯留空間の圧力を受けた周縁部分の少なくとも一部は口腔内粘膜から離間する方向に変形する。周縁部分が変形して周縁部分と口腔内粘膜との間に間隙が生じると、貯留空間の空気が当該間隙から外部に排出されるので貯留空間の圧力が低下する。そうなると、口腔内粘膜から一時的に離間した周縁部分は変形前の状態に戻るようになり、再び口腔内粘膜に当接するようになる。貯留空間に空気が供給される状態が維持されて貯留空間においてこのような圧力変化が繰り返し発生することで、凹部分の周縁部分は口腔内粘膜に対して当接と離間とを短時間で繰り返して振動する。すなわち、ヘッドは、貯留空間の圧力変化に応じて振動可能に構成されている。
【０００９】
このように、本構成の口腔内マッサージ器は、施術部の凹部分と口腔内粘膜とによって形成される貯留空間の圧力変化に応じてヘッド部が振動することにより、口腔内粘膜を押圧して刺激を付与するようになる。これにより、口腔内粘膜に対してヘッドの手動操作では実現できない細やかな押圧力をヘッドによって与えることができ、安定的なヘッドの振動によるマッサージを行うことができる。また、貯留空間の圧力変化を利用してヘッドを振動させる構成であるので、超音波振動や電気的刺激を用いることなく、口腔内粘膜においてマッサージ効果を得ることができる。その結果、口腔内マッサージ器は安全な構成によって口腔内粘膜をマッサージすることができる。
また、口腔内マッサージ器において、把持部の空気流通路を流通する空気の圧力値は、空気供給源側において予め設定されている。このとき、口腔内マッサージ器の使用途中において、凹部分の吐出口から吐出される空気の圧力が高過ぎる場合や、口腔内のマッサージ対象部位に応じて凹部分の吐出口から吐出される空気の圧力を弱める等の調整を行いたい場合が考えられる。しかし、そのような場合であっても、口腔内マッサージ器の使用時は把持部を把持した状態であるため、空気供給源側の設定を変更して空気の圧力を低下させることは困難である。そこで、本構成では、把持部は空気流通路から分岐する分岐孔を有し、分岐孔は把持部の外面に設けられた開閉可能な分岐口を含んでいる。本構成によれば、把持部の外面の分岐口を開操作することで、空気流通路を流通する空気の一部を分岐口から外部に排出することができる。これにより、空気供給源側で圧力の設定を変更しなくても、ヘッド部の凹部分の吐出口から吐出される空気の圧力を容易に低下させることができる。その結果、口腔内マッサージ器の操作性が向上する。
【００１０】
他の特徴構成は、前記ヘッドの先端側は、前記凹部分の開口部を上方に向けた状態での平面視で湾曲している点にある。
【００１１】
本構成によれば、ヘッドの先端側が平面視で湾曲しているので、ヘッドは先細形状であって先端側に丸みを有することになる。これにより、ヘッドの先端側を口腔内の奥側に向けて容易かつ安全に移動操作してマッサージを行うことができる。その結果、口腔内マッサージ器の操作性が向上する。
【００１２】
他の特徴構成は、前記凹部分は、前記凹部分の開口部を上方に向けた状態での平面視において、前記ヘッドの延設方向に沿う前記施術部の長さを二等分するように前記ヘッドの延設方向に対して垂直な仮想線を引いたときに、前記仮想線よりも前記施術部の先端側にある前記凹部分の占有面積が前記仮想線よりも前記施術部の基端側にある前記凹部分の占有面積よりも大きい点にある。
【００１３】
本構成によれば、凹部分が施術部の先端側に形成されているので、ヘッドの先端側に凹部が配置されることになる。これにより、凹部分を口腔内の奥側等の局所に容易に到達させることができ、凹部分の周縁部分により口腔内粘膜の局所を集中的にマッサージすることもできる。その結果、口腔内マッサージ器の操作性が向上する。
【００１４】
【００１５】
【００１６】
他の特徴構成は、前記分岐孔は、前記把持部の外面における開口面積を変更可能に構成されている点にある。
【００１７】
本構成によれば、分岐孔の開口面積を変更することで、空気供給源側で圧力の設定を変更しなくても、ヘッド部の凹部分の凹部の吐出口から吐出される空気の圧力を微調整することができる。その結果、口腔内マッサージ器の操作性がより向上する。
【００１８】
他の特徴構成は、前記施術部は、前記凹部分が形成された第一面と、前記第一面の裏側に形成された第二面とを有し、前記第二面が湾曲している点にある。
【００１９】
本構成によれば、口腔内マッサージ器は、凹部分を有する第一面とは別に、第一面の裏側に形成された湾曲する第二面を口腔内粘膜に押し当てることで口腔内粘膜をマッサージすることもできる。すなわち、口腔内マッサージ器は、凹部分の周縁部分を用いた第一面によるマッサージと、湾曲する第二面によるマッサージとを併用することができる。第二面を使用してマッサージを行う場合、空気によるマッサージはできないが、湾曲する第二面を口腔内粘膜に押し付けて刺激を与えるマッサージが可能になる。また、このような構成であれば、口腔内マッサージ器と空気供給源との接続を解除する等、凹部分に空気が供給できない状態であっても、第二面を用いることで口腔内粘膜をマッサージすることもできる。その結果、口腔内マッサージ器は、使用環境や口腔内の部位等に応じて、第一面及び第二面を適宜選択して口腔内粘膜をマッサージすることができる。
【図面の簡単な説明】
【００２０】
【図１】口腔内マッサージ器の使用環境を示す概略図である。
【図２】第１実施形態の口腔内マッサージ器の斜視図である。
【図３】第１実施形態の口腔内マッサージ器が空気供給源から分離された状態を示す要部斜視図である。
【図４】第１実施形態のヘッドの平面図である。
【図５】第１実施形態のヘッドの側面図である。
【図６】第１実施形態の口腔内マッサージ器の側断面図である。
【図７】第１実施形態のヘッドの側断面図である。
【図８】第２実施形態のヘッドの側面図である。
【図９】第３実施形態のヘッドの側面図である。
【図１０】第４実施形態のヘッドの側面図である。
【図１１】第４実施形態のヘッドの変形例の側面図である。
【図１２】第５実施形態のヘッドの側面図である。
【図１３】第６実施形態のヘッドの側面図である。
【図１４】第６実施形態のヘッドの斜視図である。
【図１５】第７実施形態のヘッドの平面図である。
【図１６】第７実施形態のヘッドの側断面図である。
【図１７】別実施形態のヘッドの平面図である。
【発明を実施するための形態】
【００２１】
以下、本発明に係る実施形態を、図面に基づいて説明する。以下において、共通する部分には同一の符号を付しており、同一符号の部分に対して重複した説明を省略する。
【００２２】
［第１実施形態］
図１に示すように、口腔内マッサージ器１０は、（以下、マッサージ器１０と称する）は、例えば、歯科用診療装置１（以下、診療装置１と称する）に取り付けられる。施術者は、診療装置１にマッサージ器１０を取り付けることで、被施術者に対してマッサージ器１０による口腔内のマッサージを行なうことができる。
【００２３】
マッサージ器１０は、診療装置１への取り付け、および診療装置１からの取り外しが可能である。診療装置１は、診療椅子２、ツールホルダー３、フットスイッチ４、空気供給源５等を備える。被施術者は、例えば診療椅子２に横たわる姿勢でマッサージ器１０によるマッサージを受けることができる。
【００２４】
図２に示すように、マッサージ器１０は、ヘッド２０と、ヘッド２０の基端側に接続された把持部３０と、を備える。マッサージ器１０の把持部３０は、空気供給源５の本体５ａから延出したホース５ｂに着脱可能に接続されている。把持部３０の内部には、空気供給源５から供給された圧縮空気（以下、単に空気ともいう）が流通可能な空気流通路３１（図６参照）が設けられている。
【００２５】
図３に示すように、把持部３０の基端部３２には軸孔３３が形成されている。空気供給源５の本体５ａから延設されるホース５ｂの前端には雄継手６が設けられている。雄継手６を軸孔３３に差し込むことにより、マッサージ器１０は空気供給源５に接続される。ここで、空気供給源５は、本体５ａとホース５ｂとを含む装置全体を指す。空気供給源５は、例えば本体５ａの内部に加圧ポンプまたはコンプレッサーを備えて構成されている。空気供給源５は、例えばフットスイッチ４を操作することによって、本体５ａ内のコンプレッサーで圧縮された圧縮空気がホース５ｂを流通してマッサージ器１０の把持部３０に供給される。空気供給源５は、例えば不図示の制御弁によって空気の供給量（圧力値）の設定が可能に構成されている。マッサージ器１０は例えばワンタッチ式のロック機構等によって取り外し自在に雄継手６に接続される。雄継手６が把持部３０に接続されると、雄継手６の外周側と把持部３０の軸孔３３の内周側との隙間が気密に密閉される。このようにホース５ｂの前端に雄継手６を設けることで、把持部３０の基端部３２には雄継手６に相当する部分が不要になるため、マッサージ器１０をコンパクトに構成することができる。
なお、空気供給源５の本体５ａは診療装置１に内蔵されておらず、診療装置１とは別体に構成されていてもよい。
【００２６】
図示しないが、ホース５ｂの前端は雄継手６を有さずに開放された形状であってもよい。その場合には、把持部３０の基端部３２の端部をホース５ｂの前端の内径よりもわずかに大きい外径を有する小径部に形成し、当該小径部をホース５ｂの前端に差し込むことによって把持部３０がホース５ｂに接続される。小径部の外径はホース５ｂの内径よりもわずかに大きいので、把持部３０とホース５ｂとの接続が完了すると、ホース５ｂの内径が拡径し、把持部３０の基端部３２の小径部の外周側とホース５ｂの内周側との隙間が気密に密閉される。このように、把持部３０の基端部３２の小径部の外周側がホース５ｂの内周側に当接する構成であると、基端部３２の小径部は内周面に加工を施す必要がないため、例えば把持部３０を樹脂の射出成形する場合に小径部を含む基端部３２を容易に成形することができる。したがって、把持部３０の基端部３２の小径部をホース５ｂに差し込む形状にすることで、マッサージ器１０において把持部３０の製作コストを低減することができる。
【００２７】
図２〜図７に示すように、マッサージ器１０のヘッド２０は、首部２１と施術部２２とを有する。施術部２２は首部２１を介して把持部３０に接続されている。すなわち、施術部２２はヘッド２０の先端側に配置される。施術部２２は、平面視で先端側が湾曲した涙滴形状を有しており（図４参照）、側面視で矩形状（図５参照）に形成されている。施術部２２は、凹部分２５が形成された第一面２３と、第一面２３の裏側に形成された第二面２４と、第一面２３と第二面２４とに挟まれ第一面２３と第二面２４に垂直な第三面２９とを有する。凹部分２５は、第一面２３において内方に窪んだ形状の部分である。第一面２３と第二面２４とは平面状である。ヘッド２０は、空気流通路３１に連通する吐出孔２６を有する。吐出孔２６は、一端が空気流通路３１と連通し、他端が凹部分２５に形成された吐出口２７によって構成されている。すなわち、吐出孔２６は、凹部分２５に設けられ空気流通路３１を流通した空気が吐出する吐出口２７を含んでいる。こうして、ヘッド２０は、空気流通路３１を流通する空気が吐出口２７から吐出可能に構成されている。本実施形態では、吐出口２７は凹部分２５のうち首部２１に最も近い内壁部２５ａに設けられている。吐出口２７は凹部分２５の底部２５ｂに設けてもよい。
【００２８】
施術部２２における凹部分２５の周縁に位置する周縁部分２８は、第一面２３から凹部分２５を除いた部分であり、被施術者の口腔内粘膜（不図示）に押し当てられる部位である。マッサージ器１０は、施術部２２における凹部分２５の周縁部分２８を口腔内粘膜に押し当てることで、凹部分２５と口腔内粘膜とによって囲まれて形成された密閉空間である貯留空間Ｓを形成する。貯留空間Ｓは吐出口２７から吐出された空気を貯留する。施術部２２を含むヘッド２０は、弾性を有し変形可能な材料（例えばシリコーンゴム等のゴム材や弾性を有する樹脂等）で構成されている。ここで、口腔内粘膜とは、例えば頬の裏側、歯茎、舌等、口腔内において歯を除く部分を含んでいる。
【００２９】
図４に示すように、ヘッド２０の施術部２２の先端側は、平面視で湾曲している。図２及び図４に示すように、ヘッド２０は先細形状であって先端側（第三面２９）に丸みを有する。これにより、ヘッド２０の先端側を口腔内の奥側に向けて容易かつ安全に移動操作してマッサージを行うことができる。その結果、マッサージ器１０の操作性が向上する。
【００３０】
図２及び図６に示すように、把持部３０には、空気流通路３１から分岐する分岐孔３６が形成されており、把持部３０の外面３５まで貫通している。分岐孔３６は、把持部３０の外面３５に分岐口３７を有している。分岐口３７は空気流通路３１から分岐する分岐孔３６の外面３５側の開口である。また、分岐口３７を覆うように蓋部３８が設けられている。蓋部３８は操作部３９を有している。操作部３９を施術者が操作して蓋部３８をスライド移動させることにより、分岐口３７を開閉することができると共に、分岐口３７の開口面積を任意の大きさに設定することができる。本構成により、把持部３０の外面３５の分岐口３７の開口面積を蓋部３８によって変化させて、空気流通路３１を流通する空気の一部を分岐口３７から外部に排出することができる。これにより、吐出口２７から吐出される空気の圧力を低下させることができる。通常使用時には、蓋部３８は分岐口３７全体を覆っており、空気流通路３１を流通する空気が分岐口３７から排出されないように構成されている。
【００３１】
［使用方法］
以上のように構成されたマッサージ器１０の使用方法を説明する。施術者は、マッサージ器１０を空気供給源５のホース５ｂに接続した後、例えば空気供給源５側の制御弁を操作して、把持部３０の空気流通路３１への空気の供給量（圧力）を設定する。その後、把持部３０を持ち、ヘッド２０を被施術者の口腔内に入れて、口腔内粘膜に凹部分２５の周縁部分２８を押し当てる。これにより、凹部分２５と口腔内粘膜との間に貯留空間Ｓが形成される。この状態でフットスイッチ４をオンにすると、設定された圧力の空気が空気流通路３１から吐出孔２６及び吐出口２７を介して貯留空間Ｓに供給される。空気が供給され続けることにより、貯留空間Ｓの圧力が高まる。このとき、貯留空間Ｓ内の口腔内粘膜と凹部分２５の周縁部分２８とが当該圧力を受ける。ここで、施術部２２のうち凹部分２５の周縁部分２８が変形可能に構成されているので、貯留空間Ｓの圧力が所定値以上に高くなると、圧力を受けた周縁部分２８は少なくとも一部が口腔内粘膜から離間する方向に変形する。周縁部分２８が変形して周縁部分２８と口腔内粘膜との間に間隙が生じると、貯留空間Ｓの空気が当該間隙から外部に排出されるので貯留空間Ｓの圧力が低下する。そうなると、口腔内粘膜から一時的に離間した周縁部分２８は変形前の状態に戻るようになり、再び周縁部分２８の全体が口腔内粘膜に当接し、貯留空間Ｓの圧力が高まる。貯留空間Ｓに空気が供給され続けて貯留空間Ｓにおいてこのような圧力変化が繰り返し発生することで、凹部分２５の周縁部分２８は口腔内粘膜に対して当接と離間とを短時間で繰り返して振動する。すなわち、ヘッド２０は、貯留空間Ｓの圧力変化に応じて振動する。このとき、ヘッド２０の周縁部分２８の振動により、周縁部分２８と対向する口腔内粘膜が繰り返し押圧刺激を受ける。また、それと同時に、貯留空間Ｓを構成している口腔内粘膜、すなわち、周縁部分２８の内側の口腔内粘膜も貯留空間Ｓの空気圧の変動により繰り返し押圧刺激を受ける。これにより、口腔内粘膜に対してヘッド２０の手動操作では実現できない細やかな押圧力をヘッド２０の振動によって与えることができ、安定的なヘッド２０の振動によるマッサージを行うことができる。また、貯留空間Ｓの圧力変化を利用してヘッド２０を振動させる構成であるので、超音波振動や電気的刺激を用いることなく、口腔内粘膜においてマッサージ効果を得ることができる。その結果、マッサージ器１０は安全な構成によって口腔内粘膜をマッサージすることができる。
【００３２】
例えば、頬の裏側に施術部２２の凹部分２５の周縁部分２８を押し当ててヘッド２０を振動させることで、頬の筋肉が内側からほぐされ、リンパの流れや血行を促進し、新陳代謝を向上させることができる。また、マッサージ効果により頬の筋肉がほぐされ、顔の筋肉が鍛えられ、ほうれい線を目立たなくする効果も期待される。また、口腔内が乾燥している被施術者に対しては、耳下腺近くの部位に施術部２２の凹部分２５の周縁部分２８を押し当ててヘッド２０を振動させることで、だ液の分泌が促される効果が期待される。
【００３３】
空気供給源５から空気流通路３１に供給されて凹部分２５の吐出口２７から吐出される空気の圧力値は、上述のように空気供給源５側で予め設定されている。このとき、マッサージ器１０の使用途中には、凹部分２５の吐出口２７から吐出される空気の圧力が高過ぎる場合や、口腔内のマッサージ対象部位に応じて凹部分２５の吐出口２７から吐出される空気の圧力を弱める等の調整を行いたい場合が考えられる。しかし、そのような場合であっても、マッサージ器１０の使用時は把持部３０を把持した状態であるため、空気供給源５側の設定を変更して空気の圧力を低下させることは困難である。このような場合には、分岐口３７全体を覆っている蓋部３８を操作部３９によりスライド移動させて、分岐口３７の一部又は全部を開口する。これにより、空気流通路３１を流通する空気の一部が分岐口３７から外部に排出され、空気供給源５で圧力の設定を変更しなくても、ヘッド２０の凹部分２５の吐出口２７から吐出される空気の圧力を容易に低下させることができる。また、蓋部３８を操作して分岐口３７の開口面積を変化せることで、空気供給源５側で圧力の設定を変更しなくても、ヘッド２０において凹部分２５の吐出口２７から吐出される空気の圧力を微調整することができる。その結果、マッサージ器１０の操作性がより向上する。
【００３４】
[第２実施形態]
第１実施形態のマッサージ器１０では、図２及び図７に示されるように、施術部２２において凹部分２５の基端側の内壁部２５ａが首部２１によって支持されている。この場合、凹部分２５の周縁部分２８のうち首部２１に近い部位は首部２１によって振動が規制されることがある。そこで、第２実施形態では、図８に示すように、施術部２２の第二面２４に首部２１の先端側が接続されている。ヘッド２０は施術部２２が椀状に形成され、施術部２２の第一面２３に凹部分２５が形成されている。第二面２４は湾曲しており、第二面２４の頂部２４ａに首部２１の先端側が接続されている。第１実施形態の第三面２９に相当する面はない。吐出孔２６は、首部２１及び施術部２２の第二面２４の内部に亘って形成され、凹部分２５の底部２５ｂに吐出口２７が設けられる。本構成により、凹部分２５の周縁部分２８は、全周に亘って施術部２２の支持部分である首部２１から大きく離間する。その結果、貯留空間Ｓの圧力変化を受けたとき、周縁部分２８は、全周に亘って振動し易くなる。なお、第２実施形態のマッサージ器１０の把持部３０の構成は、第１実施形態と同様であるため、図及び説明を省略する。
【００３５】
[第３実施形態]
図９に示すように、第３実施形態では、施術部２２は、凹部分２５が形成された第一面２３と、第一面２３の裏側に形成された第二面２４と、第一面２３と第二面２４とに挟まれ第一面２３と第二面２４に垂直な第三面２９とを有し、側面視において第二面２４が湾曲している。湾曲した第二面２４は、首部２１よりも下方に膨らんで突出している。また、第二面２４は図９の紙面に垂直な方向にも湾曲している。すなわち、第二面２４は、球面のように、最も下方に突出した部分から全方向に凸に湾曲している。また、首部２１は、施術部２２の基端部２２ａに接続されている。本構成によれば、マッサージ器１０は、凹部分２５を有する第一面２３とは別に、湾曲する第二面２４を口腔内粘膜に押し当てることで口腔内粘膜をマッサージすることもできる。すなわち、マッサージ器１０は、凹部分２５の周縁部分２８による第一面２３によるマッサージと、湾曲する第二面２４によるマッサージとを併用することができる。第二面２４を使用してマッサージを行う場合、空気によるマッサージはできないが、湾曲する第二面２４を口腔内粘膜に押し付けて刺激を与えるマッサージが可能になる。また、このような構成であれば、マッサージ器１０と空気供給源５との接続を解除する等、凹部分２５に空気が供給できない状態であっても、第二面２４を用いることで口腔内粘膜をマッサージすることもできる。その結果、マッサージ器１０は、マッサージ機能を向上させることができる。
【００３６】
[第４実施形態]
図１０に示すように、第４実施形態では、施術部２２において、凹部分２５の周縁部分２８が凹部２８ａと凸部２８ｂとが繰り返される凹凸形状で構成されている。本構成によれば、口腔内粘膜に対して凸部２８ｂによる押圧を行うことができる。これにより、口腔内粘膜に対して周縁部分２８の接触面積が減少するので、凸部２８ｂによる押圧力が増すことになり、口腔内粘膜に対し押圧刺激を増大させることができる。
【００３７】
[第４実施形態の変形例]
第４実施形態のヘッド２０の変形例について図１１を参照して説明する。図１１に示すように、本変形例では、ヘッド２０は、施術部２２において凹部分２５の周縁部分２８に半球状の凹部２８ｃが所定間隔毎に形成されている。本構成によれば、周縁部分２８に凹部２８ｃを設けるだけでよいので、周縁部分２８において凹凸形状を容易に形成することができる。また、凹部２８ｃのサイズや凹部２８ｃの配置を適宜変更することで、周縁部分２８において口腔内粘膜に当接する部位の面積を容易に調整することができる。
【００３８】
[第５実施形態]
図１２に示すように、第５実施形態では、側面視で、施術部２２の第一面２３が凹部分２５の底部２５ｂに近づく方向に湾曲している。すなわち、周縁部分２８は、第一面２３が平面であるときの仮想線Ｆを基準とした場合に、凹部分２５の底部２５ｂ寄りに湾曲する形状である。また、第二面２４も、首部２１よりも下方に膨らんで突出しており、第３実施形態と同様、球面のように、最も下方に突出した部分から全方向に凸に湾曲している。凹部分２５の周縁部分２８をこのような形状にすることで、例えば口腔内粘膜において盛り上がった部位等の局所にマッサージを行う場合に、当該局所に凹部分２５の周縁部分２８を当接させ易くなる。したがって、口腔内粘膜と凹部分２５の周縁部分２８とによって貯留空間Ｓを確実に形成することができる。さらに、施術部２２は全体として、先端側に向かうにつれて、首部２１の延設方向の軸線Ｘに対して第一面２３の側に向けて軸線Ｘから離れる方向に反る形状で構成されている。こうすると、口腔内の奥側の粘膜等の局所に対してマッサージをするときに、首部２１が邪魔にならず、施術部２２を当接させ易くなる。また、図示しないが、施術部２２は、図１２と同じ形状のまま、先端側に向かうにつれて、首部２１の延設方向の軸線Ｘに対して第二面２４の側に向けて軸線Ｘから離れる方向に反る形状であってもよいし、第１実施形態等と同様に、軸線Ｘに沿う形状であってもよい。
【００３９】
[第６実施形態]
図１３及び図１４に示すように、第６実施形態では、第５実施形態と異なり、側面視で、施術部２２の第一面２３が凹部分２５の底部２５ｂから離れる方向に湾曲している。すなわち、周縁部分２８は、第一面２３が平面であるときの仮想線Ｆを基準とした場合に、凹部分２５の底部２５ｂから離間するように湾曲する形状である。一方、第二面２４は、首部２１よりも下方に膨らんで突出しており、第３実施形態と同様、球面のように、最も下方に突出した部分から全方向に凸に湾曲している。凹部分２５の周縁部分２８をこのような形状にすると、例えば口腔内粘膜において窪みがある部位等の局所にマッサージを行う際に、当該局所に凹部分２５の周縁部分２８を当接させ易くなる。これにより、口腔内粘膜の局所に貯留空間Ｓを形成して口腔内粘膜をマッサージすることができる。
【００４０】
[第７実施形態]
図１５及び図１６に示すように、第７実施形態では、ヘッド２０の施術部２２において凹部分２５が先端寄りに形成されている。図１５に示す例では、施術部２２の先端の部分を点Ａ、施術部２２の基端の部分を点Ｂ、軸線Ｘ上で点Ａからの距離と点Ｂからの距離とが等しい位置を点Ｃで表している（ＡＣ＝ＢＣ）。第一面２３には、吐出口２７を有し吐出孔２６と連通した凹部分２５と、吐出孔２６とは連通していない第２凹部分４０が形成されている。施術部２２において凹部分２５が先端寄りとは、平面視において、点Ｃを通って軸線Ｘに垂直な仮想線Ｙを引いたときに、仮想線Ｙよりも点Ａ側にある凹部分２５の占有領域の方が仮想線Ｙよりも点Ｂ側にある凹部分２５の占有面積よりも大きいことを意味する。本実施形態のように、凹部分２５が施術部２２の先端寄りに形成されることで、ヘッド２０の先端側に凹部分２５が配置されることになる。これにより、凹部分２５を口腔内の奥側の粘膜等の局所に容易に移動操作して凹部分２５の周縁部分２８によるマッサージを行うことができる。また、施術部２２の先端側を用いて口腔内粘膜の局所を集中的にマッサージすることもできる。その結果、マッサージ器１０の操作性が向上する。図１５及び図１６に示す例では、施術部２２には凹部分２５と首部２１との間に第２凹部分４０が形成されている。第２凹部分４０は、周縁部分２８のうち凹部分２５の首部２１寄りの部位２８ｅの振動を確保するために設けられている。施術部２２は第２凹部分４０を設けずに構成してもよい。
【００４１】
〔他の実施形態〕
（１）上記の実施形態では、平面視において、凹部分２５が施術部２２の先端側が幅広の涙滴形状に形成した例（図４）や、凹部分２５が涙滴形状を半分にした形状に形成された例（図１５）を示したが、凹部分２５の形状は円形でもよく、他の形状であってもよい。
図１７に示すように、凹部分２５の形状は、例えば三角形状であってもよい。
【００４２】
（２）上記の実施形態では、ヘッド２０の全体が変形可能な材料で構成される例を示したが、ヘッド２０のうち施術部２２のみが変形可能な材料で構成されていてもよく、施術部２２の第一面２３側のみが変形可能な材料で構成されていてもよい。また、周縁部分２８は、凹部分２５の開口端に近づくにつれて厚みが減少するように構成してもよい。こうすることで、貯留空間Ｓの圧力変化を受けた周縁部分２８は振動し易くなる。
【００４３】
ヘッド２０（施術部２２）は、硬質材料（例えばポリプロピレンン、ポリエチレン等の硬質樹脂や金属材料等）で構成されていてもよい。ヘッド２０（施術部２２）が硬質材料で構成されていると、貯留空間Ｓの圧力を受けた凹部分２５の周縁部分２８は変形しない状態で口腔内粘膜から離間するようになる。さらに、例えば頬の裏側のように柔らかい部位に施術部２２の周縁部分２８を押し当てた際には、変形しないヘッド２０（施術部２２）よりも貯留空間Ｓの圧力を受けた口腔内の柔らかい部位の方が凹部分２５の周縁部分２８から離間する方向に変形し、口腔内の柔らかい部位が振動する。したがって、ヘッド２０（施術部２２）の材質を変えることで、マッサージ器１０は口腔内粘膜に対して異なる振動を付与することもできる。
【００４４】
（３）上記の実施形態では、施術部２２に設けられた１つの凹部分２５によって施術する例を示したが、凹部分２５は複数設けてもよい。その場合には、凹部分２５に形成される吐出口２７も複数の凹部分２５毎に設けられる。
【００４５】
（４）上記の実施形態では、ヘッド２０が首部２１及び施術部２２を有する例を示したが、ヘッド２０は施術部２２のみで構成されていてもよい。すなわち、ヘッド２０は把持部３０の先端側に施術部２２が直に接続されていてもよい。
【００４６】
（５）上記の実施形態では、把持部３０に分岐孔３６（分岐口３７）を設ける例を示したが、把持部３０に分岐孔３６（分岐口３７）を設けずに構成してもよい。
【００４７】
（６）上記の実施形態では、施術部２２の凹部分２５において１つの吐出口２７を設ける例を示したが、凹部分２５には複数の吐出口２７を設けてもよい。この場合には、独立した吐出孔２６及び吐出口２７を複数設けてもよいし、１つの吐出孔２６の中途部から分岐した複数の吐出路を設けて各吐出路の先端側を吐出口２７にしてもよい。
【産業上の利用可能性】
【００４８】
本発明は、口腔内を広範囲にマッサージする口腔内マッサージ器として広く用いることができる。
【符号の説明】
【００４９】
１      ：歯科用診療装置
１０    ：口腔内マッサージ器
２０    ：ヘッド
２１    ：首部
２２    ：施術部
２２ａ  ：基端部
２３    ：第一面
２４    ：第二面
２４ａ  ：頂部
２５    ：凹部分
２６    ：吐出孔
２７    ：吐出口
２８    ：周縁部分
３０    ：把持部
３１    ：空気流通路
３２    ：基端部
３３    ：軸孔
３５    ：外面
３６    ：分岐孔
３７    ：分岐口
３８    ：蓋部
３９    ：操作部
Ｆ      ：仮想線
Ｓ      ：貯留空間
Ｘ      ：軸線
Ｙ      ：仮想線
【要約】
【課題】口腔内粘膜に対して安全に安定したマッサージを行うことができる口腔内マッサージ器を提供する。
【解決手段】ヘッド２０と、ヘッド２０の基端側に接続された把持部３０と、を備えた口腔内マッサージ器１０であって、把持部３０は、空気供給源５に接続可能であり、内部に空気供給源５から供給される空気が流通可能な空気流通路３１を有し、ヘッド２０は、内方に窪んだ凹部分２５を含む施術部２２を有するとともに、空気流通路３１に連通する吐出孔２６を有し、吐出孔２６は凹部分２５に設けられ空気流通路３１を流通した空気が吐出する吐出口２７を含んでおり、施術部２２における凹部分２５の周縁部分２８を口腔内粘膜に押し当てることで、凹部分２５と口腔内粘膜とは吐出口２７から吐出された空気の貯留空間Ｓを形成し、ヘッド２０は、貯留空間Ｓの圧力変化に応じて振動可能に構成されている。
【選択図】図２【図１】
0006771249.tif 000002
【図２】
0006771249.tif 000003
【図３】
0006771249.tif 000004
【図４】
0006771249.tif 000005
【図５】
0006771249.tif 000006
【図６】
0006771249.tif 000007
【図７】
0006771249.tif 000008
【図８】
0006771249.tif 000009
【図９】
0006771249.tif 000010
【図１０】
0006771249.tif 000011
【図１１】
0006771249.tif 000012
【図１２】
0006771249.tif 000013
【図１３】
0006771249.tif 000014
【図１４】
0006771249.tif 000015
【図１５】
0006771249.tif 000016
【図１６】
0006771249.tif 000017
【図１７】
0006771249.tif 000018